(57)【要約】      （修正有）【課題】使用者に暖かい感触を与え、デザイン性の向上を図り、携帯機器の耐久性を十分に高める装飾体を提供する。【解決手段】携帯機器の表面に貼着される携帯機器用装飾体１０であって、生地から成る装飾層１１と、装飾層１１の裏面側に形成される接着層１２とを備えていることを特徴とし、装飾層１１はベロア又はベルベットにより構成されているのが好ましく、また、接着層１２は装飾層１１側に形成される粘着剤層１４と、携帯機器側に形成されるホットメルト層１５とにより構成されているのが好ましい。【選択図】図１
0003146381.tif 000002
【実用新案登録請求の範囲】
【請求項１】
携帯機器の表面に貼着される携帯機器用装飾体であって、
生地から成る装飾層と、
該装飾層の裏面側に形成される接着層と、
を備えていることを特徴とする携帯機器用装飾体。
【請求項２】
前記装飾層はベロア又はベルベットにより構成されている請求項１に記載の携帯機器用装飾体。
【請求項３】
前記接着層は、前記装飾層側に形成される粘着剤層と、前記携帯機器側に形成されるホットメルト層とにより構成されている請求項１又は２に記載の携帯機器用装飾体。
【考案の詳細な説明】
【技術分野】
【０００１】
本考案は、携帯電話等の携帯機器の表面に貼着される携帯機器用装飾体に関する。
【背景技術】
【０００２】
近年における携帯電話の普及に伴い、使用者が携帯電話のデザインに個性を表現するため、携帯電話の表面にシールやスワロフスキー・クリスタルを貼着して装飾することが行われている。
【０００３】
この種の従来の技術としては、例えば、粘着剤層が設けられた熱可塑性樹脂の基材フィルムと、オフセット印刷により形成された印刷層と、該印刷層を被覆してスクリーン印刷により形成されるコーティング層とを備えた装飾ラベルや（特許文献１参照）、携帯電話を収容可能な袋状の可撓性のフィルムに図柄を施しておき、このフィルムをドライヤーによって加熱して熱収縮させて携帯電話の表面に密着させる表面装飾材（特許文献２参照）などが提案されている。
【特許文献１】特開２００７−２２９９２４号公報
【特許文献２】特開２０００−１３８７３８号公報
【考案の開示】
【考案が解決しようとする課題】
【０００４】
しかしながら、上記した従来の技術では、装飾表面が円滑に仕上げられており、使用者に冷たい感触を与えるため、特に、気温の低い秋や冬の時期の使用には不向きであるといった問題があった。
【０００５】
また、装飾表面の図柄や仕上げが限定されてしまうため、デザイン性の向上を図り難いといった問題もあった。
【０００６】
さらに、携帯機器を落とした際の衝撃が大きく、携帯機器の保護を十分に行うことができないため、携帯機器の耐久性を高めることが難しいといった問題もあった。
【０００７】
本考案は、上記した課題を解決すべくなされたものであり、使用者に暖かい感触を与え、デザイン性の向上を図ることができ、携帯機器の耐久性を十分に高めることのできる携帯機器用装飾体を提供することを目的とするものである。
【課題を解決するための手段】
【０００８】
上記した目的を達成するため、本考案は、携帯機器の表面に貼着される携帯機器用装飾体であって、生地から成る装飾層と、該装飾層の裏面側に形成される接着層とを備えていることを特徴とする。
【０００９】
そして、前記装飾層はベロア又はベルベットにより構成されているのが好ましい。
【００１０】
また、前記接着層は、前記装飾層側に形成される粘着剤層と、前記携帯機器側に形成されるホットメルト層とにより構成されているのが好ましい。
【考案の効果】
【００１１】
本考案によれば、装飾表面が生地により構成されているため、使用者に暖かい感触を与え、気温の低い秋や冬の時期の使用にも適するようになる。
【００１２】
また、装飾表面の図柄を自由に変更することができるため、デザイン性の向上を図ることができる。
【００１３】
さらに、携帯機器を落とした際の衝撃を吸収することができ、携帯機器を保護することができるため、携帯機器の耐久性を高めることができる。
【考案を実施するための最良の形態】
【００１４】
以下、図１を参照しつつ、本考案の実施の形態について説明する。ここで、図１は本考案の実施の形態に係る携帯機器用装飾体を示す断面図、図２は同携帯機器用装飾体を携帯電話に貼付した状態を示す平面図である。
【００１５】
本考案の実施に係る携帯機器用装飾体１０は、生地から成る装飾層１１と、装飾層１１の裏面側に形成される接着層１２とを備え、未使用の状態では接着層１２の裏面側に剥離紙１３が貼付されている。
【００１６】
装飾層１１の生地は、ベロア又はベルベットであるのが好ましいが、スパンコール等の他の種類の布又は織物であってもよい。なお、ここで、ベロアとは、梳毛糸と紡毛糸とを交織にして毛羽立てた織物のことを言い、ベルベッドとは、平織又は綾織の経糸にパイルを織り出したパイル織物の一種のことを言い、スパンコールとは、表面に光を反射する加工を施した布のことを言う。
【００１７】
接着層１２はさらに、装飾層１１の裏面側に粘着される粘着剤層１４と、粘着剤層１４の裏面側に形成されるホットメルト層１５とを備えて構成されている。粘着剤層１４は、布や紙、金属箔、セロファン等のテープ状シートの両面に粘着剤を塗布又は浸漬して形成されており、ホットメルト層１５は、熱可塑性樹脂成分の固形接着剤を加熱、融解し、流動性を与えた上で塗布して形成され、冷却することにより硬化、接着する。
【００１８】
このような構成を備えた携帯機器用装飾体１０を携帯電話１６に貼付する場合、先ず、携帯電話１６の貼付する表面の汚れやホコリをきれい拭き取ると共に、必要に応じて、はさみ又はカッターを使用して携帯機器用装飾体１０を所望の形状及び大きさに切断しておく。
【００１９】
次いで、剥離紙１３を剥がし、携帯機器用装飾体１０の接触層１２のホットメルト層１５側を携帯電話１６の貼付する表面に押し付ける。この時、携帯機器用装飾体１０と携帯電話１６との間に空気が入らないように、携帯機器用装飾体１０をその一端から他端に向かって順番に携帯電話１６の表面に押し付けながら貼付していくのが好ましい。
【００２０】
このように上記した実施の形態に係る携帯機器用装飾体１０によれば、装飾表面が生地により構成されているため、使用者に暖かい感触を与え、気温の低い秋や冬の時期の使用にも適するようになる。また、装飾表面の図柄を自由に変更することができるため、デザイン性の向上を図ることができる。
【００２１】
さらに、携帯電話１６を落とした際の衝撃を吸収することができ、携帯電話１６を保護することができるため、携帯電話１６の耐久性を高めることができる。
【００２２】
さらにまた、携帯機器用装飾体１０の携帯電話１６側にはホットメルト層１５が形成されているため、携帯機器用装飾体１０を剥がした時に携帯電話１６側に接着剤が残存して汚れたりすることがないと共に、一度剥がした携帯機器用装飾体１０を携帯電話１６の別の場所等に貼り直ししたりすることもできる。
【００２３】
なお、上記した実施の形態では、携帯機器用装飾体１０を携帯電話１６に貼付した場合について説明したが、本考案に係る携帯機器用装飾体１０は、ｉＰｏｄ（登録商標）等の携帯型デジタル音楽プレーヤーや、名刺ケース、煙草ケース、化粧鏡、ライター等の携帯電話１６以外の携帯機器の表面にも貼付可能である。
【図面の簡単な説明】
【００２４】
【図１】本考案の実施の形態に係る携帯機器用装飾体を示す断面図である。
【図２】本考案の実施の形態に係る携帯機器用装飾体を携帯電話に貼付した状態を示す平面図である。
【符号の説明】
【００２５】
１０          携帯機器用装飾体
１１          装飾層
１２          接着層
１４          粘着剤層
１５          ホットメルト層
１６          携帯電話
【図１】
0003146381.tif 000003
【図２】
0003146381.tif 000004